(57)【特許請求の範囲】
【請求項１】
フォトクロミックレンズモジュールであって、当該フォトクロミックレンズモジュールはレンズモジュール及びフォトクロミック薄膜を有し、
前記レンズモジュールは第１表面及び第２表面を有し、前記第１表面は入射面であり、前記第２表面は屈折面であり、且つ
前記フォトクロミック薄膜は第１領域及び第２領域を有し、前記フォトクロミック薄膜は前記第１表面又は前記第２表面を覆っており、前記第１領域は負のフォトクロミック材料を使用し、前記第２領域は正のフォトクロミック材料を使用し、
当該フォトクロミックレンズモジュールは更にマスクを有し、
前記マスクは透明領域及び不透明領域を有し、前記マスクは前記フォトクロミック薄膜を覆っており、前記透明領域が前記第１領域を覆い、前記不透明領域が前記第２領域を覆っている、
フォトクロミックレンズモジュール。
【請求項２】
前記マスクは透明基板及び遮光層を有し、
前記遮光層は前記透明基板を覆っており、前記不透明領域は前記透明基板及び前記遮光層を有し、前記透明領域は前記透明基板を有する、請求項１に記載のフォトクロミックレンズモジュール。
【請求項３】
前記フォトクロミック薄膜の厚さは１０ｎｍから１μｍである、請求項１又は２に記載のフォトクロミックレンズモジュール。
【請求項４】
前記第１領域は、少なくとも１つのサブ領域を有し、前記サブ領域の直径は２μｍから１０ｍｍである、請求項１乃至３の何れか一項に記載のフォトクロミックレンズモジュール。
【請求項５】
前記第１領域の全サブ領域の数は１から１０００である、請求項４に記載のフォトクロミックレンズモジュール。
【請求項６】
前記第１領域の各サブ領域の形状は、円形、多角形、扇形、又はアーチ形を有する、請求項４に記載のフォトクロミックレンズモジュール。
【請求項７】
前記透明基板は、ガラス、石英、又は樹脂を有する、請求項２に記載のフォトクロミックレンズモジュール。
【請求項８】
カメラであって、当該カメラは、請求項１乃至７の何れか一項に記載のフォトクロミックレンズモジュールと、イメージセンサと、ブラケットとを有し、
前記フォトクロミックレンズモジュールが、前記ブラケットによって前記イメージセンサに接続されている、
カメラ。
【請求項９】
当該カメラは更に赤外線遮断フィルタを有し、
前記赤外線遮断フィルタは、前記フォトクロミックレンズモジュールと前記イメージセンサとの間に位置している、
請求項８に記載のカメラ。
【請求項１０】
当該カメラは更にフォーカスモータを有し、
前記フォーカスモータは、前記フォトクロミックレンズモジュールと前記赤外線遮断フィルタとの間に位置している、
請求項９に記載のカメラ。
【請求項１１】
当該カメラは更に配線接続基板を有し、
前記配線接続基板は前記イメージセンサの底部に配置され、前記イメージセンサは、前記フォトクロミックレンズモジュールと前記配線接続基板との間に位置している、
請求項８乃至１０の何れか一項に記載のカメラ。
【請求項１２】
当該カメラは更に光学保護窓を有し、
前記光学保護窓は、前記フォトクロミックレンズモジュールの頂部に配置され、前記フォトクロミックレンズモジュールは、前記光学保護窓と前記イメージセンサとの間に位置している、
請求項８乃至１０の何れか一項に記載のカメラ。
【請求項１３】
請求項８乃至１２の何れか一項に記載のカメラと、表示スクリーンと、プロセッサとを有する端末装置であって、前記フォトクロミックレンズモジュールが画像を捕捉するように構成され、前記イメージセンサが、前記捕捉された画像を電気信号に変換し、且つ該電気信号をデジタル信号に変換するように構成され、前記プロセッサが、前記デジタル信号を処理するように構成され、且つ前記表示スクリーンが、前記プロセッサの制御下で前記画像を表示する、端末装置。
【請求項１４】
当該端末装置は、モバイルフォン、タブレットコンピュータ、コンピュータ、又はデジタルカメラである、請求項１３に記載の端末装置。
【発明の詳細な説明】
【技術分野】
【０００１】
本発明は、エレクトロニクス技術に関し、特に、フォトクロミックレンズモジュール、カメラ、及び端末装置に関する。
【背景技術】
【０００２】
カメラは、主としてレンズモジュールとイメージセンサとを含んだ映像入力装置である。異なるベンダーによって製造されるレンズモジュールは、例えば、製造されるレンズモジュールのレンズ数、レンズの合成材料（例えばプラスチックナノコンポジット材料及び透明高分子材料など）、レンズモジュールのパラメータ（例えば焦点距離及び口径など）、並びに２枚のレンズ間に特殊材料（例えば樹脂など）が付加されているか、といったことに関して、とうてい同じではない。写真の品質を保証する鍵になる要因は、優れた性能を持つレンズモジュールを有することである。或るベンダーが独立に、写真の品質を向上させるレンズモジュールを設計する場合、そのベンダーは、競合者が、そのレンズモジュールがどのように製造されるかを知り、そしてそのレンズモジュールの量産を行ってしまうことを、防止する必要がある。故に、レンズモジュールを保護することが特に重要である。
【発明の概要】
【０００３】
本発明の実施形態は、レンズモジュールを効果的に保護するような、フォトクロミックレンズモジュール、カメラ、及び端末装置を提供する。
【０００４】
本発明の第１の態様によれば、フォトクロミックレンズモジュールが提供され、当該フォトクロミックレンズモジュールはレンズモジュール及びフォトクロミック薄膜を含み、
上記レンズモジュールは第１表面及び第２表面を含み、上記第１表面が入射面であるとき上記第２表面は屈折面であり、上記第２表面が入射面であるとき上記第１表面は屈折面であり、且つ
上記フォトクロミック薄膜は第１領域及び第２領域を有し、上記フォトクロミック薄膜は上記第１表面又は上記第２表面を覆っており、上記第１領域は負のフォトクロミック材料を使用し、上記第２領域は正のフォトクロミック材料を使用している。
【０００５】
上記第１の態様を参照するに、第１の取り得る実装様態において、当該フォトクロミックレンズモジュールは更にマスクを含み、
上記マスクは透明領域及び不透明領域を含み、上記マスクは上記フォトクロミック薄膜を覆っており、上記透明領域が上記第１領域を覆い、上記不透明領域が上記第２領域を覆っている。
【０００６】
上記第１の態様の上記第１の取り得る実装様態を参照するに、第２の取り得る実装様態において、上記マスクは透明基板及び遮光層を含み、
上記遮光層は上記透明基板を覆っており、上記不透明領域は上記透明基板及び上記遮光層を含み、上記透明領域は上記透明基板を含む。
【０００７】
上記第１の態様の上記第２の取り得る実装様態を参照するに、第３の取り得る実装様態において、上記透明基板は、ガラス、石英、又は樹脂を含む。
【０００８】
上記第１の態様又は上記第１の態様の上記第１乃至第３の取り得る実装様態の何れか一を参照するに、第４の取り得る実装様態において、上記フォトクロミック薄膜の厚さは１０ｎｍから１μｍである。
【０００９】
上記第１の態様又は上記第１の態様の上記第１乃至第４の取り得る実装様態の何れか一を参照するに、第５の取り得る実装様態において、上記第１領域は、少なくとも１つのサブ領域を含み、上記サブ領域の直径は２μｍから１０ｍｍである。
【００１０】
上記第１の態様の上記第５の取り得る実装様態を参照するに、第６の取り得る実装様態において、上記第１領域の全サブ領域の数は１から１０００である。
【００１１】
上記第１の態様の上記第５の取り得る実装様態を参照するに、第７の取り得る実装様態において、上記第１領域の各サブ領域の形状は、円形、多角形、扇形、又はアーチ形を含む。
【００１２】
本発明の第２の態様によれば、カメラが提供され、当該カメラは、フォトクロミックレンズモジュールと、イメージセンサと、ブラケットとを含み、
上記フォトクロミックレンズモジュールが、上記ブラケットによって上記イメージセンサに接続され、
上記フォトクロミックレンズモジュールはレンズモジュール及びフォトクロミック薄膜を含み、
上記レンズモジュールは第１表面及び第２表面を含み、上記第１表面が入射面であるとき上記第２表面は屈折面であり、上記第２表面が入射面であるとき上記第１表面は屈折面であり、且つ
上記フォトクロミック薄膜は第１領域及び第２領域を有し、上記フォトクロミック薄膜は上記第１表面又は上記第２表面を覆っており、上記第１領域は負のフォトクロミック材料を使用し、上記第２領域は正のフォトクロミック材料を使用している。
【００１３】
上記第２の態様を参照するに、第１の取り得る実装様態において、当該フォトクロミックレンズモジュールは更にマスクを含み、
上記マスクは透明領域及び不透明領域を含み、上記マスクは上記フォトクロミック薄膜を覆っており、上記透明領域が上記第１領域を覆い、上記不透明領域が上記第２領域を覆っている。
【００１４】
上記第２の態様の上記第１の取り得る実装様態を参照するに、第２の取り得る実装様態において、上記マスクは透明基板及び遮光層を含み、
上記遮光層は上記透明基板を覆っており、上記不透明領域は上記透明基板及び上記遮光層を含み、上記透明領域は上記透明基板を含む。
【００１５】
上記第２の態様の上記第２の取り得る実装様態を参照するに、第３の取り得る実装様態において、上記透明基板は、ガラス、石英、又は樹脂を含む。
【００１６】
上記第２の態様又は上記第２の態様の上記第１乃至第３の取り得る実装様態の何れか一を参照するに、第４の取り得る実装様態において、上記フォトクロミック薄膜の厚さは１０ｎｍから１μｍである。
【００１７】
上記第２の態様又は上記第２の態様の上記第１乃至第４の取り得る実装様態の何れか一を参照するに、第５の取り得る実装様態において、上記第１領域は、少なくとも１つのサブ領域を含み、上記サブ領域の直径は２μｍから１０ｍｍである。
【００１８】
上記第２の態様の上記第５の取り得る実装様態を参照するに、第６の取り得る実装様態において、上記第１領域の全サブ領域の数は１から１０００である。
【００１９】
上記第２の態様の上記第５の取り得る実装様態を参照するに、第７の取り得る実装様態において、上記第１領域の各サブ領域の形状は、円形、多角形、扇形、又はアーチ形を含む。
【００２０】
上記第２の態様又は上記第２の態様の上記第１乃至第７の取り得る実装様態の何れか一を参照するに、第８の取り得る実装様態において、当該カメラは更に赤外線遮断フィルタを含み有し、
上記赤外線遮断フィルタは、上記フォトクロミックレンズモジュールと上記イメージセンサとの間に位置している。
【００２１】
上記第２の態様の上記第８の取り得る実装様態を参照するに、第９の取り得る実装様態において、当該カメラは更にフォーカスモータを含み、
上記フォーカスモータは、上記フォトクロミックレンズモジュールと上記赤外線遮断フィルタとの間に位置している。
【００２２】
上記第２の態様又は上記第２の態様の上記第１乃至第９の取り得る実装様態の何れか一を参照するに、第１０の取り得る実装様態において、当該カメラは更に配線接続基板を含み、
上記配線接続基板は上記イメージセンサの底部に配置され、上記イメージセンサは、上記フォトクロミックレンズモジュールと上記配線接続基板との間に位置している。
【００２３】
上記第２の態様又は上記第２の態様の上記第１乃至第９の取り得る実装様態の何れか一を参照するに、第１１の取り得る実装様態において、当該カメラは更に光学保護窓を含み、
上記光学保護窓は、上記フォトクロミックレンズモジュールの頂部に配置され、上記フォトクロミックレンズモジュールは、上記光学保護窓と上記イメージセンサとの間位置している。
【００２４】
本発明の実施形態の第３の態様によれば、端末装置が提供され、当該端末装置は、上記第２の態様に従ったカメラと、表示スクリーンと、プロセッサとを含み、上記フォトクロミックレンズモジュールが画像を捕捉するように構成され、上記イメージセンサが、上記捕捉された画像を電気信号に変換し、且つ該電気信号をデジタル信号に変換するように構成され、上記プロセッサが、上記デジタル信号を処理するように構成され、且つ上記表示スクリーンが、上記プロセッサの制御下で上記画像を表示する。
【００２５】
本発明の実施形態は、フォトクロミックレンズモジュールを提供する。当該フォトクロミックレンズモジュールはレンズモジュール及びフォトクロミック薄膜を含み、レンズモジュールは第１表面及び第２表面を含み、フォトクロミック薄膜は第１領域及び第２領域を含む。フォトクロミック薄膜は上記第１表面又は上記第２表面を覆っている。上記第１領域は負のフォトクロミック材料を使用し、上記第２領域は正のフォトクロミック材料を使用する。紫外線放射への露出下にないとき、上記第１表面は色彩に富み、上記第２領域は透明であり、紫外線放射への露出下にあるとき、上記第１表面は透明であり、上記第２表面は色彩に富む。斯くして、競合者はレンズモジュールの構造を知ることができず、レンズモジュールが効果的に保護され得る。
【図面の簡単な説明】
【００２６】
本発明の実施形態における技術的ソリューションをいっそう明瞭に説明するため、以下、実施形態を説明するのに必要な添付図面を簡単に説明する。明らかなように、以下に説明される添付図面は、単に、本発明の幾つかの実施形態を示すものであり、当業者はさらに、創作努力なしで、添付図面からその他の図を導き出すことができる。
【図１】本発明の一実施形態に従ったフォトクロミックレンズモジュールの概略的な断面図である。
【図２】本発明の一実施形態に従ったフォトクロミック薄膜の模式図である。
【図３】本発明の他の一実施形態に従ったフォトクロミック薄膜の模式図である。
【図４】本発明の一実施形態に従ったフォトクロミックレンズモジュールを製造する方法の概略的なフローチャートである。
【図５】本発明の他の一実施形態に従ったフォトクロミックレンズモジュールを製造する方法の概略的なフローチャートである。
【図６】本発明の一実施形態に従ったカメラの概略的な構成図である。
【図７】本発明の一実施形態に従った端末装置の概略的な構成図である。
【発明を実施するための形態】
【００２７】
以下、本発明の実施形態内の添付図面を参照して、本発明の実施形態における技術的ソリューションを明瞭且つ十分に説明する。明らかなように、説明される実施形態は、本発明の実施形態のうちの、単に一部であって、全てではない。本発明の実施形態に基づいて創作努力なしで当業者によって得られるその他全ての実施形態も、本発明の保護範囲に入るべきものである。
【００２８】
本発明の一実施形態は、フォトクロミックレンズモジュールを開示する。当該フォトクロミックレンズモジュールは、レンズモジュール及びフォトクロミック薄膜を含む。レンズモジュールは第１表面及び第２表面を含み、フォトクロミック薄膜は第１領域及び第２領域を含む。フォトクロミック薄膜は、上記第１表面又は上記第２表面を覆っている。上記第１領域は負のフォトクロミック材料を使用し、上記第２領域は正のフォトクロミック材料を使用する。
【００２９】
本発明のこの実施形態で言及されるレンズモジュールは、少なくとも１つのレンズを含んだ光学コンポーネントを指し得る。レンズモジュールは、第１表面及び第２表面を含み得る。第１表面が入射面であるとき第２表面は屈折面であり、第２表面が入射面であるとき第１表面は屈折面である。
【００３０】
本発明のこの実施形態で言及されるフォトクロミック薄膜は、ただ１つの層を有し得るとともに、フォトクロミック薄膜は、第１領域及び第２領域を含み得る。第１領域は負のフォトクロミック材料を使用し、第２領域は正のフォトクロミック材料を使用する。正のフォトクロミック材料は、透明であるものから、紫外線放射への露出下で、色彩に富むものへと転換するという特徴を持ち、負のフォトクロミック材料は、色彩に富むものから、紫外線放射への露出下で、透明であるものへと転換するという特徴を持つ。具体的には、紫外線放射への露出下にないとき、正のフォトクロミック材料は透明であり、負のフォトクロミック材料は、例えば赤色、緑色、青色又は紫色などの色を示す。紫外線放射への露出下では、正のフォトクロミック材料が、例えば赤色、緑色、青色又は紫色などの色を示し、負のフォトクロミック材料が透明である。すなわち、紫外線放射への露出下であるか紫外線放射への露出下でないかに拘わらず、フォトクロミックレンズモジュールは色彩に富んでおり、それ故に、競合者はレンズモジュールの構造を知ることができず、レンズモジュールが効果的に保護され得る。
【００３１】
本発明のこの実施形態で言及される正のフォトクロミック材料は、例えば、紫外線放射への露出下で赤色を示す第１の正のフォトクロミック材料、又は紫外線放射への露出下で青色を示す第２の正のフォトクロミック材料といった、少なくとも１つのタイプを含み得る。同様に、負のフォトクロミック材料は、例えば、紫外線放射への露出下にないときに紫色を示す第１の負のフォトクロミック材料、又は紫外線放射への露出下にないときに緑色を示す第２の負のフォトクロミック材料といった、少なくとも１つのタイプを含み得る。これは、本発明のこの実施形態において特に限定されることではない。
【００３２】
上述のフォトクロミックレンズモジュールは、例えばカメラ、眼鏡、サイトグラス又は照明器具などの装置に適用され得る。カメラは更に、例えばパーソナルコンピュータ、スマートフォン（例えばＡｎｄｒｏｉｄフォン又はｉＯＳフォンなど）、タブレットコンピュータ、パームトップコンピュータ又はビデオカメラなどの端末に適用され得る。これは、本発明のこの実施形態において特に限定されることではない。
【００３３】
図１を参照するに、図１は、本発明の第１の実施形態に従ったフォトクロミックレンズモジュールの概略的な断面図である。図１に示されるように、本発明のこの実施形態に従ったフォトクロミックレンズモジュールは、レンズモジュール１０及びフォトクロミック薄膜２０を含んでいる。
【００３４】
レンズモジュール１０は、第１表面１０１及び第２表面１０２を含んでいる。第１表面１０１が入射面であるとき、第２表面１０２は屈折面であり、第２表面１０２が入射面であるとき、第１表面１０１は屈折面である。
【００３５】
フォトクロミック薄膜２０は、第１領域２０１及び第２領域２０２を含んでいる。フォトクロミック薄膜２０は、第１表面１０１又は第２表面１０２を覆う。第１領域２０１は負のフォトクロミック材料を使用し、第２領域２０２は正のフォトクロミック材料を使用する。
【００３６】
オプションの一実施形態において、正のフォトクロミック材料は１つのタイプを含むことができ、負のフォトクロミック材料は１つのタイプを含むことができる。図２に示されるフォトクロミック薄膜の模式図を一例として用いるに、フォトクロミック薄膜２０は、第１領域２０１及び第２領域２０２を含んでいる。第１領域２０１は、負のフォトクロミック材料を使用することができ、第２領域２０２は、正のフォトクロミック材料を使用することができる。図２から見て取れることには、第１領域２０１は複数の長方形を含む領域とすることができ、第２領域２０２は、それらの長方形を除いた領域である。紫外線放射への露出下にないとき、第２領域２０２は透明であり、第１領域２０１は既定色（例えば、赤色、青色又は緑色）を示す。紫外線放射への露出下にあるとき、第２領域２０２は既定色（例えば、赤色、青色又は緑色）を示し、第１領域２０１は透明である。すなわち、紫外線放射への露出下にないときには、第１領域２０１が色彩に富み、紫外線放射への露出下にあるときには、第２領域２０２が色彩に富む。斯くして、紫外線放射への露出下であるか紫外線放射への露出下でないかに拘わらず、フォトクロミック薄膜２０は色彩に富んでおり、それ故に、競合者は、直接的にフォトクロミックレンズモジュールを用いることによって例えば撮影するなどの機能を果たすことができない。斯くして、レンズモジュールに対する光学的エンコーディングを実現することができる。
【００３７】
他のオプションの一実施形態において、正のフォトクロミック材料は１つのタイプを含むことができ、負のフォトクロミック材料は２つのタイプを含むことができる。図３に示されるフォトクロミック薄膜の模式図を一例として用いるに、フォトクロミック薄膜２０は、第１領域２０１及び第２領域２０２を含んでいる。第１領域２０１は、第１ユニット領域及び第２ユニット領域を含み得る。薄い灰色の円形パターンが属する領域が第１ユニット領域であり、濃い灰色の円形パターンが属する領域が第２ユニット領域である。第１ユニット領域は、第１の負のフォトクロミック材料を使用することができ、第２ユニット領域は、第２の負のフォトクロミック材料を使用することができる。紫外線放射への露出下にないとき、第２領域２０２は透明であり、第１ユニット領域は第１の既定色（例えば、赤色、青色又は緑色）を示し、第２ユニット領域は第２の既定色（例えば、紫色、黄色又は橙色）を示す。紫外線放射への露出下にあるとき、第２領域２０２は既定色（例えば、赤色、青色又は緑色）を示し、第１領域２０１は透明である。すなわち、紫外線放射への露出下にないときには、第１領域２０１が色彩に富み、紫外線放射への露出下にあるときには、第２領域２０２が色彩に富む。斯くして、紫外線放射への露出下であるか紫外線放射への露出下でないかに拘わらず、フォトクロミック薄膜２０は色彩に富んでおり、それ故に、このフォトクロミックレンズモジュールを入手した後に、競合者は、直接的にフォトクロミックレンズモジュールを用いることによって例えば撮影するなどの機能を果たすことができない。斯くして、レンズモジュールに対する光学的エンコーディングを実現することができる。
【００３８】
なお、本発明のこの実施形態において、正のフォトクロミック材料及び負のフォトクロミック材料は、上述のタイプを含むが、それらに限定されない。オプションで、正のフォトクロミック材料が２つのタイプを含み得るとともに、負のフォトクロミック材料が２つのタイプを含み得る。第１領域２０１の第１ユニット領域が、第１の負のフォトクロミック材料を使用し、第１領域２０１の第２ユニット領域が、第２の負のフォトクロミック材料を使用し、第２領域２０２の第１ユニット領域が第１の正のフォトクロミック材料を使用し、第２領域２０２の第２ユニット領域が第２の正のフォトクロミック材料を使用する。これは、本発明のこの実施形態において特に限定されることではない。
【００３９】
オプションの一実施形態において、フォトクロミックレンズモジュールは更にマスクを含み得る。
【００４０】
マスクは、透明領域及び不透明領域を含み得る。マスクは、フォトクロミック薄膜を覆う。具体的には、マスクの透明領域が第１領域２０１を覆い、マスクの不透明領域が第２領域２０２を覆う。
【００４１】
特定の一実施形態において、紫外線放射への露出下にあるとき、紫外線は透明領域を通り抜けて第１領域２０１上に放たれることができ、負のフォトクロミック材料を使用している第１領域２０１は透明になり、また、紫外線は不透明領域を通り抜けて第２領域２０２上に放たれることはできず、第２領域２０２は依然として透明である。すなわち、マスクを含むフォトクロミックレンズモジュール上に紫外線が放射され、第１領域２０１及び第２領域２０２の双方が透明であり、消費者は、マスクを含むフォトクロミックレンズモジュールを使用することによって、例えば撮影するなどの機能を果たし得る。斯くして、レンズモジュールに対する光学的デコーディングが実現される。さらに、フォトクロミック薄膜を製造するベンダー及びマスクを製造するベンダーは同じベンダーではないとすることができ、たとえ、フォトクロミック薄膜及びマスクを含むフォトクロミックレンズモジュールを競合者が入手したとしても、競合者は、レンズモジュールの構造を知ることができない。斯くして、レンズモジュールを保護することができる。
【００４２】
図２に示されるフォトクロミック薄膜の模式図を一例として用いるに、フォトクロミック薄膜２０は、第１領域２０１及び第２領域２０２を含んでいる。マスクの透明領域が第１領域２０１を覆い、マスクの不透明領域が第２領域２０２を覆う。図３に示されるフォトクロミック薄膜の模式図を一例として用いるに、フォトクロミック薄膜２０は、第１領域２０１及び第２領域２０２を含んでいる。マスクの透明領域が第１領域２０１を覆い、マスクの不透明領域が第２領域２０２を覆う。図２に示されるフォトクロミック薄膜は、図３に示されるフォトクロミック薄膜とは異なっており、対応するフォトクロミック薄膜を覆うマスクも異なる。
【００４３】
オプションの一実施形態において、マスクは、透明基板及び遮光層を含み得る。
【００４４】
遮光層は透明基板を覆っている。不透明領域は透明基板と遮光層とを含み、透明領域は透明基板を含む。
【００４５】
また、オプションで、透明基板は、ガラス、石英、又は樹脂を含み得る。紫外線は、透明基板を通り抜けて第１領域２０１上に放たれることができる。
【００４６】
また、オプションで、遮光層は、紫外線が遮光層及び透明基板を通り抜けて第２領域２０２上に放たれることができないように、金属又はシリカゲルを含み得る。
【００４７】
オプションの一実施形態において、フォトクロミック薄膜２０の厚さは、１０ｎｍから１μｍとし得る。フォトクロミック薄膜２０の厚さが１０ｎｍ未満であると、フォトクロミック薄膜の製造プロセスの複雑さが増す。フォトクロミック薄膜２０の厚さが１μｍよりも大きいと、フォトクロミックレンズモジュールの高さが増し、故に、カメラの高さが大きくなって、不十分な利便性をもたらす。
【００４８】
オプションの一実施形態において、第１領域２０１は、少なくとも１つのサブ領域を含むことができ、サブ領域の直径は、２μｍから１０ｍｍである。サブ領域の直径が２μｍ以下であると、製造プロセスの困難さが増す。結果として、スプレーガン、ディスクアトマイザ、ディスペンサ、又はナノインプリントリソグラフィ装置が、サブ領域を正確に処理することができず、フレアを形成しやすくなる。レンズモジュール１０の第１表面１０１又は第２表面１０２の直径は、通常、１０ｍｍ以下である。サブ領域の直径は、第１表面１０１又は第２表面１０２の直径よりも小さい必要があり、すなわち、サブ領域の直径は１０ｍｍ未満である。図２に示されるフォトクロミック薄膜の模式図を一例として用いるに、第１領域２０１の各サブ領域は、１つの四角が属する領域であり、第２領域２０２は、フォトクロミック薄膜２０の領域のうち、これらの四角が属する領域とは別の領域である。図３に示されるフォトクロミック薄膜の模式図を一例として用いるに、第１領域２０１の各サブ領域は、１つの円が属する領域であり、第２領域２０２は、フォトクロミック薄膜２０の領域のうち、これらの円が属する領域とは別の領域である。
【００４９】
また、オプションで、第１領域２０１の全サブ領域の数は１から１０００とし得る。第１領域２０１の全サブ領域数がゼロであると、フォトクロミック薄膜２０は正のフォトクロミック材料を使用したものとなり、それ故に、フォトクロミックレンズモジュールは、紫外線放射への露出下にないときに透明である。結果として、レンズモジュールを効果的に保護することができない。第１領域２０１の全サブ領域数が１０００よりも多いと、コストが比較的高いものとなる。
【００５０】
また、オプションで、第１領域２０１の全てのサブ領域がアレイ状に配列され、アレイ状に配列されたサブ領域が、例えば正方形、菱形、六角形などの形状を構成し得る。図２に示されるフォトクロミック薄膜の模式図を一例として用いるに、第１領域２０１の全てのサブ領域が周期的に配置されてもよく、すなわち、隣接するサブ領域間の距離が同じであり、また、第１領域２０１の全てのサブ領域で八角形を構成し得る。図３に示されるフォトクロミック薄膜の模式図を一例として用いるに、第１領域２０１の全てのサブ領域が周期的に配置されるのでなくてもよく、すなわち、隣接するサブ領域間の距離が同じでなく、また、第１領域２０１の全てのサブ領域で八角形を構成し得る。
【００５１】
また、第１領域２０１の各サブ領域の形状は、円形、多角形、扇形、又はアーチ形を含み、本発明のこの本実施形態において特に限定されるものではない。
【００５２】
図１に示されるフォトクロミックレンズモジュールは、レンズモジュール１０及びフォトクロミック薄膜２０を含んでいる。レンズモジュール１０は、第１表面１０１及び第２表面１０２を含んでいる。フォトクロミック薄膜２０は、第１領域２０１及び第２領域２０２を含んでいる。フォトクロミック薄膜２０は、第１表面１０１又は第２表面１０２を覆う。第１領域２０１は、負のフォトクロミック材料を使用し、第２領域２０２は、正のフォトクロミック材料を使用し、それによりレンズモジュールを効果的に保護する。
【００５３】
図４を参照するに、図４は、本発明の一実施形態に従ったフォトクロミックレンズモジュールを製造する方法の概略的なフローチャートである。図４に示されるように、本発明のこの実施形態に従ったフォトクロミックレンズモジュールを製造する方法は、以下を含み得る。
【００５４】
Ｓ４０１：レンズモジュールの第１表面又は第２表面をフォトクロミック薄膜でコーティングしてフォトクロミックレンズモジュールを形成し、フォトクロミック薄膜は第１領域及び第２領域を含み、第１領域は負のフォトクロミック材料を使用し、第２領域は正のフォトクロミック材料を使用する。
【００５５】
或る端末に関し、レンズモジュールの第１表面又は第２表面がフォトクロミック薄膜でコーティングされて、フォトクロミックレンズモジュールを形成し得る。第１表面が入射面であるとき、第２表面は屈折面であり、第２表面が入射面であるとき、第１表面は屈折面である。フォトクロミック薄膜は、第１領域及び第２領域を含む。第１領域は負のフォトクロミック材料を使用し、第２領域は正のフォトクロミック材料を使用する。
【００５６】
オプションの一実施形態では、この端末に関し、レンズモジュールの第１表面又は第２表面は、吹き付け、ディスペンス、又はナノインプリントリソグラフィのような方法にて、フォトクロミック薄膜でコーティングされ得る。吹き付けは、スプレーガン又はディスクアトマイザによって、圧力又は遠心力の助けを借りて、フォトクロミック材料を均等で小さな液滴へと分配し、そして、液滴を第１領域上に吹き付ける方法を指す。ディスペンスは、空気圧ディスペンス、スチールニードルディスペンス、又はスクリューディスペンスを含み得る。空気圧ディスペンスは、空気を圧縮し、圧縮空気をディスペンスボトルに送って、ピストンチャンバに接続されたフィードチューブにフォトクロミック材料を押し込むものを指す。ピストンが上り行程にあるときに、ピストンチャンバがフォトクロミック材料で充たされ、ピストンがディスペンスニードルヘッドを下方に押すときに、フォトクロミック材料がニードル口から押し出される。ナノインプリントリソグラフィは、媒体（例えば高分子メンブレンなど）によって、及びナノパターンを有するテンプレートを用いることによって、ナノパターンをレンズ上に複写するものを指す。
【００５７】
図２に示されるフォトクロミック薄膜の模式図を一例として用いるに、或る端末に関し、負のフォトクロミック材料が、スプレーガン又はディスクアトマイザによって、圧力又は遠心力の助けを借りて、均等で小さな液滴へと分配されることができ、そして、液滴が第１領域２０１上に吹き付けられる。吹き付け厚さは１０ｎｍから１μｍとし得る。この端末に関し、第１領域２０１が、低温キュア又はＵＶキュアのような方法で硬化され、硬化後にサブ領域を形成し得る。サブ領域の直径は２μｍから１０ｍｍである。第１領域２０１の全サブ領域の数は１から１０００である。第１領域２０１の全てのサブ領域がアレイ状に配列され、第１領域２０１の各サブ領域の形状は、円形、多角形、扇形、又はアーチ形である。さらに、この端子に関し、正のフォトクロミック材料が、空気圧ディスペンス又はナノインプリントリソグラフィのような方法で第２領域２０２上に吹き付けられ得る。吹き付け厚さは１０ｎｍから１μｍとし得る。この端末に関し、第２領域２０２が、低温キュア又はＵＶキュアのような方法で硬化され得る。硬化された第１領域２０１及び硬化された第２領域２０２が、フォトクロミック薄膜２０を形成する。硬化方法は、低温キュア、ＵＶキュア（Ultraviolet  curing、紫外線キュア）、又はこれらに類するものを含み得る。低温キュアは、１００℃よりも低い温度を必要とするのみである。
【００５８】
図３に示されるフォトクロミック薄膜の模式図を一例として用いるに、或る端末に関し、第１の負のフォトクロミック材料が、スプレーガン又はディスクアトマイザによって、第１領域２０１の第１ユニット領域上に吹き付けられ得る。この端末に関し、第１ユニット領域が、低温キュア又はＵＶキュアのような方法で硬化され得る。さらに、この端末に関し、第２の負のフォトクロミック材料が、ディスペンサによって、第１領域２０１の第２ユニット領域上に吹き付けられ得る。この端末に関し、第２ユニット領域が、低温キュア又はＵＶキュアのような方法で硬化され得る。さらに、この端末に関し、正のフォトクロミック材料が、ナノインプリントリソグラフィによって、第２領域２０２上に吹き付けられ得る。この端末に関し、第２領域２０２が、低温キュア又はＵＶキュアのような方法で硬化され得る。硬化された第１領域２０１及び硬化された第２領域２０２が、フォトクロミック薄膜２０を形成する。
【００５９】
本発明のこの実施形態において、紫外線放射への露出下にないとき、第１領域は既定色（例えば、赤色、青色又は緑色）を示し、第２領域は透明である。紫外線放射への露出下にあるとき、第１領域は透明であり、第２領域は既定色（例えば、赤色、青色又は緑色）を示す。すなわち、紫外線放射への露出下にないとき、第１領域が色彩に富む。紫外線放射への露出下にあるときには、第２領域が色彩に富む。斯くして、紫外線放射への露出下であるか紫外線放射への露出下でないかに拘わらず、フォトクロミック薄膜は色彩に富んでおり、それ故に、フォトクロミックレンズモジュールを入手した後に、競合者は、直接的にフォトクロミックレンズモジュールを用いることによって例えば撮影するなどの機能を果たすことができない。斯くして、レンズモジュールに対する光学的エンコーディングが実現される。また、競合者は、レンズモジュールの構造を知ることができず、故に、レンズモジュールが効果的に保護され得る。
【００６０】
図４に示されるフォトクロミックレンズモジュールを製造する方法では、レンズモジュールの第１表面又は第２表面がフォトクロミック薄膜でコーティングされて、フォトクロミックレンズモジュールを形成する。フォトクロミック薄膜は、第１領域及び第２領域を含む。第１領域は負のフォトクロミック材料を使用し、第２領域は正のフォトクロミック材料を使用し、それによりレンズモジュールを効果的に保護する。
【００６１】
図５を参照するに、図５は、本発明の他の一実施形態に従ったフォトクロミックレンズモジュールを製造する方法の概略的なフローチャートである。図５に示されるように、本発明のこの実施形態に従ったフォトクロミックレンズモジュールを製造する方法は、以下を含み得る。
【００６２】
Ｓ５０１：レンズモジュールの第１表面又は第２表面をフォトクロミック薄膜でコーティングしてフォトクロミックレンズモジュールを形成し、フォトクロミック薄膜は第１領域及び第２領域を含み、第１領域は負のフォトクロミック材料を使用し、第２領域は正のフォトクロミック材料を使用する。
【００６３】
或る端末に関し、レンズモジュールの第１表面又は第２表面がフォトクロミック薄膜でコーティングされて、フォトクロミックレンズモジュールを形成し得る。フォトクロミック薄膜は、第１領域及び第２領域を含む。第１領域は負のフォトクロミック材料を使用し、第２領域は正のフォトクロミック材料を使用する。正のフォトクロミック材料は、透明であるものから、紫外線放射への露出下で、色彩に富むものへと転換するという特徴を持ち、負のフォトクロミック材料は、色彩に富むものから、紫外線放射への露出下で、透明であるものへと転換するという特徴を持つ。すなわち、紫外線放射への露出下であるか紫外線放射への露出下でないかに拘わらず、フォトクロミックレンズモジュールは色彩に富む。斯くして、競合者は、直接的にフォトクロミックレンズモジュールを用いることによって撮影する機能を果たすことができない。斯くして、レンズモジュールに対する光学的エンコーディングを実現することができる。
【００６４】
Ｓ５０２：フォトクロミック薄膜をマスクで覆い、マスクは透明領域及び不透明領域を含み、透明領域が第１領域を覆い、不透明領域が第２領域を覆う。
【００６５】
この端末がフォトクロミックレンズモジュールを形成するよう、レンズモジュールの第１表面又は第２表面がフォトクロミック薄膜でコーティングされた後、フォトクロミック薄膜がマスクで覆われ得る。マスクは、透明領域及び不透明領域を含み得る。この端末に関し、第１領域が透明領域で覆われ得るとともに、第２領域が不透明領域で覆われ得る。
【００６６】
図２に示されるフォトクロミック薄膜の模式図を一例として用いるに、フォトクロミック薄膜２０は、第１領域２０１及び第２領域２０２を含んでいる。或る端末に関し、第１領域２０１は、マスクの透明領域で覆われることができ、第２領域２０２は、マスクの不透明領域で覆われることができる。図３に示されるフォトクロミック薄膜の模式図を一例として用いるに、フォトクロミック薄膜２０は、第１領域２０１及び第２領域２０２を含んでいる。或る端末に関し、第１領域２０１は、マスクの透明領域で覆われることができ、第２領域２０２は、マスクの不透明領域で覆われることができる。図２に示されるフォトクロミック薄膜は、図３に示されるフォトクロミック薄膜とは異なっており、対応するフォトクロミック薄膜を覆うマスクも異なる。
【００６７】
オプションの一実施形態において、マスクは、透明基板及び遮光層を含み得る。
【００６８】
或る端末に関し、透明基板は遮光層で覆われ得る。不透明領域は透明基板と遮光層とを含み、透明領域は透明基板を含む。
【００６９】
特定の一実装において、この端末に関し、フォトクロミック薄膜は、透明基板に当該フォトクロミック薄膜全体を覆わせるように、透明基板でコーティングされ得る。さらに、この端末に関し、透明基板が、遮光層に第２領域を覆わせるように、気相成長又は印刷のような方法にて遮光層で覆われ得る。不透明領域は透明基板と遮光層とを含み、透明領域は透明基板を含む。
【００７０】
また、オプションで、透明基板は、ガラス、石英、又は樹脂を含み得る。紫外線は、透明基板を通り抜けて第１領域上に放たれることができる。
【００７１】
また、オプションで、遮光層は、紫外線が遮光層及び透明基板を通り抜けて第２領域上に放たれることができないように、金属又はシリカゲルを含み得る。
【００７２】
紫外線放射への露出下にあるとき、紫外線は透明領域を通り抜けて第１領域上に放たれることができ、故に、負のフォトクロミック材料を使用している第１領域は透明になり、また、紫外線は不透明領域を通り抜けて第２領域上に放たれることはできず、故に、第２領域は依然として透明である。すなわち、第１領域及び第２領域の双方が透明であり、消費者は、マスクを含むフォトクロミックレンズモジュールを使用することによって、例えば撮影するなどの機能を果たし得る。斯くして、レンズモジュールに対する光学的デコーディングが実現される。
【００７３】
図５に示されるフォトクロミックレンズモジュール製造する方法では、レンズモジュールの第１表面又は第２表面がフォトクロミック薄膜でコーティングされて、フォトクロミックレンズモジュールを形成する。フォトクロミック薄膜は、第１領域及び第２領域を含む。第１領域は負のフォトクロミック材料を使用し、第２領域は正のフォトクロミック材料を使用する。フォトクロミック薄膜がマスクで覆われる。マスクは透明領域及び不透明領域を含む。フォトクロミックレンズモジュールの透明化処理を実現するように、及び透明化処理を受けたフォトクロミックレンズモジュールを用いることによって消費者が例えば撮影することなどの機能を果たすことの助けとなるように、透明領域が第１領域を覆い、不透明領域が第２領域を覆う。また、競合者がレンズモジュールの構造を知ることができないので、レンズモジュールが効果的に保護され得る。
【００７４】
図６を参照するに、図６は、本発明の一実施形態に従ったカメラの概略的な構成図である。このカメラは、少なくともフォトクロミックレンズモジュール６０１と、イメージセンサ６０２と、ブラケット６０３とを含み得る。
【００７５】
フォトクロミックレンズモジュール６０１は、ブラケット６０３によってイメージセンサ６０２に接続される。例えば、特定の一実装において、収容空間を形成するように、ブラケット６０３がスルー方式でセットされ得る。フォトクロミックレンズモジュール６０１及びイメージセンサ６０２は、この収容空間の中に位置する。フォトクロミックレンズモジュール６０１は、レンズモジュールと、レンズモジュールの第１表面又は第２表面を覆うフォトクロミック薄膜とを含む。フォトクロミックレンズモジュール６０１は、像を捕捉するように構成される。イメージセンサ６０２は、フォトクロミックレンズモジュール６０１によって捕捉された像を、光信号から電気信号へと変換し、且つ該電気信号をデジタル信号へと変換するように構成される。
【００７６】
カメラのフォトクロミックレンズモジュール６０１に関する説明ついては、図１−図３、及び図１−図３についての説明を参照されたく、ここで再び詳細を説明したりはしない。
【００７７】
オプションの一実施形態において、フォトクロミックレンズモジュール６０１は更に、マスクを含み得る。マスクは透明領域及び不透明領域を含む。マスクはフォトクロミック薄膜を覆い、マスクの透明領域が第１領域を覆い、マスクの不透明領域が第２領域を覆う。
【００７８】
また、オプションで、マスクは透明基板及び遮光層を含む。遮光層は透明基板を覆う。不透明領域は透明基板と遮光層とを含み、透明領域は透明基板を含む。
【００７９】
また、オプションで、透明基板は、ガラス、石英、又は樹脂を含む。
【００８０】
オプションの一実施形態において、フォトクロミック薄膜の厚さは１０ｎｍから１μｍである。
【００８１】
オプションの一実施形態において、第１領域は少なくとも１つのサブ領域を含み、サブ領域の直径は２μｍから１０ｍｍである。
【００８２】
また、オプションで、第１領域のサブ領域の数は１から１０００である。
【００８３】
さらに、オプションで、第１領域の各サブ領域の形状は、円形、多角形、扇形、又はアーチ形を含む。
【００８４】
オプションの一実施形態において、カメラは更に、赤外線遮断フィルタ６０４を含むことができ、赤外線遮断フィルタ６０４は、フォトクロミックレンズモジュール６０１とイメージセンサ６０２との間に位置する。
【００８５】
特定の一実装において、赤外線遮断フィルタ６０４は、ブラケット６０３によって形成される収容空間の中に締結される。フォトクロミックレンズモジュール６０１と、イメージセンサ６０２と、ブラケット６０３とが組み合わされて、包囲された空間を形成する。赤外線遮断フィルタ６０４は、この包囲空間内に位置し、イメージセンサ６０２が正しくない色又は波状のものを生成することを防止するよう、イメージセンサ６０２上に投射される赤外線を除去し、それにより解像度及び色再現性能を向上させるように構成される。
【００８６】
さらに、オプションで、カメラは更に、フォーカスモータ６０５を含むことができ、フォーカスモータ６０５は、フォトクロミックレンズモジュール６０１と赤外線遮断フィルタ６０４との間に位置する。
【００８７】
例えば、特定の一実装において、フォトクロミックレンズモジュール６０１は、フォーカスモータ６０５上に搭載されることができ、フォーカスモータ６０５は、ブラケット６０３上に搭載される。フォトクロミックレンズモジュール６０１とフォーカスモータ６０５とで構成されるコンポーネントがブラケット６０３上に搭載された後、フォトクロミックレンズモジュール６０１及び赤外線遮断フィルタ６０４は互いに対向して配置されている。フォーカスモータ６０５は、オートフォーカスを実現するように構成され得る。
【００８８】
オプションの一実施形態において、カメラは更に、配線接続基板６０６を含むことができ、配線接続基板６０６は、イメージセンサ６０２の底部に配置され、イメージセンサ６０２は、フォトクロミックレンズモジュール６０１と配線接続基板６０６との間に位置する。
【００８９】
特定の一実装において、配線接続基板６０６は、例えばブラケット６０３などの素子を担持するように構成される。イメージセンサ６０２は、配線接続基板６０６上に配置され得る。
【００９０】
オプションの一実施形態において、カメラは更に、光学保護窓６０７を含むことができ、光学保護窓６０７は、フォトクロミックレンズモジュール６０１の頂部に配置され、フォトクロミックレンズモジュール６０１は、光学保護窓６０７とイメージセンサ６０２との間に位置する。
【００９１】
特定の一実装において、光学保護窓６０７は、ブラケット６０３上に搭載され得る。フォトクロミックレンズモジュール６０１と光学保護窓６０７とで構成されるコンポーネントがブラケット６０３上に搭載された後、光学保護窓６０７及びイメージセンサ６０２は互いに対向して配置されている。光学保護窓６０７は、フォトクロミックレンズモジュール６０１に粉塵が入ることを防止し、それによりフォトクロミックレンズモジュール６０１を保護するように構成される。
【００９２】
図６に示されるカメラは、フォトクロミックレンズモジュール６０１と、イメージセンサ６０２と、ブラケット６０３とを含む。フォトクロミックレンズモジュール６０１は、レンズモジュール及びフォトクロミック薄膜を含む。競合者がレンズモジュールの構造を知ることができないので、レンズモジュールが効果的に保護され得る。
【００９３】
図７を参照するに、図７は、本発明の一実施形態に従った端末装置の概略的な構成図である。本発明のこの実施形態における端末装置は、少なくともカメラ７０１と、表示スクリーン７０２と、プロセッサ７０３とを含み得る。カメラ７０１は、フォトクロミックレンズモジュールと、ブラケットと、イメージセンサとを含む。フォトクロミックレンズモジュールは、ブラケットによってイメージセンサに接続される。フォトクロミックレンズモジュールは、像を捕捉することができ、イメージセンサは、捕捉された像を電気信号へと変換し、且つ該電気信号をデジタル信号へと変換することができ、プロセッサ７０３がデジタル信号を処理し、プロセッサ７０３の制御下で画像が表示スクリーン７０２によって表示され得る。画像は圧縮画像であってもよい。
【００９４】
プロセッサ７０３は、画像信号プロセッサ又は中央演算処理ユニットＣＰＵとし得る。
【００９５】
端末装置のカメラ７０１に関する説明ついては、図６、及び図６についての説明を参照されたい。フォトクロミックレンズモジュール６０１については、図１−図３、及び図１−図３についての説明を参照されたく、ここで再び詳細を説明したりはしない。
【００９６】
端末装置は、モバイルフォン、タブレットコンピュータ、コンピュータ、デジタルカメラ、又はこれらに類するものとし得る。
【００９７】
なお、以上の実施形態においては、各実施形態の説明がそれぞれ焦点を有している。或る実施形態において詳細に説明されていない部分については、他の実施形態における関連する説明を参照することができる。加えて、これまた当業者が理解するはずのことには、本明細書にて説明された実施形態は全て好適実施形態に属するものであり、それらの動作及びユニットは必ずしも本発明に必須なものでない。
【００９８】
以上にて開示されたものは、単に、本発明の実施形態の例であり、全くもって、本発明の保護範囲を限定することを意図したものではない。故に、本発明の請求項に従って為される均等な変形も本発明の範囲に入るものである。
【図１】
0006556255.tif 000002
【図２】
0006556255.tif 000003
【図３】
0006556255.tif 000004
【図４】
0006556255.tif 000005
【図５】
0006556255.tif 000006
【図６】
0006556255.tif 000007
【図７】
0006556255.tif 000008